(57)【要約】【課題】  モータへの負荷が低減できるファンと、このファンを用いた冷蔵庫を提供することである。【解決手段】  本発明の冷蔵庫１０は、空気を冷却する冷却器２８と、冷却器２８からの冷気を貯蔵室に案内するダクト３０と、ダクト３０中に設けられた、冷却器２８から貯蔵室に冷気を移動させる軸流ファン３２と、ファン３２の回転軸４４に略直交する方向に展開する、回転軸４４と略一致する中心軸を有する、ファン３２の外径より小さい口径を有する、ファン３２に冷気を案内する吸い込み口４２と、ファン３２の外周端の外側に、回転軸４４方向にファン３２の風上側端からファン３２の奥行き途中まで伸びている、回転軸４４と略同一の中心軸を有する略環状の壁５６とを有することを特徴とする。【選択図】図２
2005291577.tif 000002
【特許請求の範囲】
【請求項１】
空気を冷却する冷却器と、
上記冷却器からの冷気を貯蔵室に案内するダクトと、
上記ダクト中に設けられた、上記冷却器から上記貯蔵室に冷気を移動させる軸流ファンと、
上記ファンの回転軸に略直交する方向に展開する、上記回転軸と略一致する中心軸を有する、上記ファンの外径より小さい口径を有する、上記ファンに冷気を案内する吸い込み口と、
上記ファンの上記外周端の外側に、上記回転軸方向に上記ファンの風上側端から上記ファンの奥行き途中まで伸びている、上記回転軸と略同一の中心軸を有する略環状の壁とを有することを特徴とする冷蔵庫。
【請求項２】
上記ファンの回転軸と略直交する方向に展開する、上記ファンから流れ出た冷気をガイドする案内板を有することを特徴とする請求項１に記載の冷蔵庫。
【請求項３】
空気を冷却する冷却器と、
上記冷却器からの冷気を貯蔵室に案内するダクトと、
上記ダクト中に設けられた、上記冷却器から上記貯蔵室に冷気を移動させる軸流ファンと、
上記ファンの回転軸に略直交する方向に展開する、上記回転軸と略一致する中心軸を有する、上記ファンの外径より小さい口径を有する、上記ファンに冷気を案内する吸い込み口と、
上記ファンの回転軸と略直交する方向に展開する、上記ファンから流れ出た冷気をガイドする案内板とを有することを特徴とする冷蔵庫。
【請求項４】
上記吸い込み口が、上記ファンに向かって減少していく内径を備えるベルマウス形状を有することを特徴とする請求項１〜３のいずれか一に記載の冷蔵庫。
【請求項５】
上記案内板から上記ファンの風下側端までの距離が、上記ファンの外径の約３０％以下にされていることを特徴とする請求項２〜４のいずれか一に記載の冷蔵庫。
【請求項６】
上記案内板から上記ファンの風下側端までの距離が、上記ファンの外径の約１５％以下にされていることを特徴とする請求項５に記載の冷蔵庫。
【請求項７】
上記案内板から上記ファンの風下側端までの距離が、上記ファンの外径の約５％以下にされていることを特徴とする請求項５に記載の冷蔵庫。
【請求項８】
上記ファンのボス部が、上記ファンの風上側から風下側に向かって拡大する円錐台形形状であることを特徴とする請求項１〜７のいずれか一に記載の冷蔵庫。
【請求項９】
上記案内板に、上記ファンの上記回転軸と略一致する中心軸を有する、上記案内板から上記ファンに向かって縮小する円錐台形部が設けられていることを特徴とする請求項２〜８のいずれか一に記載の冷蔵庫。
【請求項１０】
上記ファンが、上記ファンの中心側に配置された前進翼部と、上記ファンの外周側に配置された後退翼部とから構成される翼を有することを特徴とする請求項１〜９のいずれか一に記載の冷蔵庫。
【請求項１１】
上記吸い込み口の口径が、上記ファンの回転中心から上記前進翼の外周側端までの距離の２倍と略一致する請求項１０に記載の冷蔵庫。
【請求項１２】
軸流ファンであって、
上記ファンの回転軸に略直交する方向に展開する、上記回転軸と略一致する中心軸を有する、上記ファンの外径より小さい口径を有する、上記ファンに冷気を案内する吸い込み口と、
上記ファンの上記外周端の外側に、上記回転軸方向に上記ファンの風上側端から上記ファンの奥行き途中まで伸びている、上記回転軸と略同一の中心軸を有する略環状の壁とを有することを特徴とする軸流ファン。
【請求項１３】
上記ファンの回転軸と略直交する方向に展開する、上記ファンから流れ出た冷気をガイドする案内板を有することを特徴とする請求項１２に記載の軸流ファン。
【請求項１４】
上記ファンの回転軸に略直交する方向に展開する、上記回転軸と略一致する中心軸有する、上記ファンの外径より小さい口径を有する、上記ファンに冷気を案内する吸い込み口と、
上記ファンの回転軸と略直交する方向に展開する、上記ファンから流れ出た冷気をガイドする案内板を有することを特徴とする軸流ファン。
【請求項１５】
上記吸い込み口が、上記ファンに向かって減少していく内径を備えるベルマウス形状を有することを特徴とする請求項１２〜１４のいずれか一に記載の軸流ファン。
【発明の詳細な説明】
【技術分野】
【０００１】
本発明は、ファンに関するものであり、また、ファンを用いた冷気強制循環方式（冷却器で冷やされた冷気をファンにより強制的に循環させる方式）の冷蔵庫に関する。
【背景技術】
【０００２】
冷気強制循環方式の冷蔵庫は、ファンを用いることにより、冷却器で冷却された空気（冷気）を、ダクトを介して複数の貯蔵室、例えば、冷凍室や冷蔵室に送り、貯蔵室内を冷却している。冷蔵庫に使用されるファンは、冷気流路の分岐点、すなわち、一つの冷却器からの冷気を複数の貯蔵室に案内する冷気流路（ダクト）の分岐点近傍に配置される。
【０００３】
ファン（ファン周りの構造物形状も含む。）は、種々存在し、例えば、特許文献１のものが存在する。これは、ダクトの分岐点に設けられたファンのボス部を風上側（冷却器側）から風下側（貯蔵室側）に向かって拡大する円錐台形に形成するとともに、ファンと対向する風下側ダクトの壁面にファンのボス部と同一の方向に拡大する円錐台形状部を設けている。それにより、ファンから回転軸方向に放出される冷気を、緩やかに流れ方向を略９０度曲げて複数に分岐させる、流路抵抗が小さい流路を形成し、その流路に冷気を流すことによって冷蔵庫の冷却能力を向上させている。
【特許文献１】特開平１０−１２２７２１号公報
【０００４】
ところが、上記のファンは、ファンから放出された冷気を、流れ方向（回転軸方向）を略９０度曲げて複数に分岐させている。当然ながら、ファンから放出された冷気は流れ方向が変更されるため、圧力損失が生じる。圧力損失を補うためにファンの回転数を増加させる方法があるが、回転数が増加するとファンからの発生音（騒音）が大きくなるとともに、ファンを回転させるモータの消費電力も大きくなるため、当然好ましくない。
【０００５】
これを解決するために、ファンの外径より小さい口径を有する、ファンに空気を案内する吸い込み口を設けることにより、ファンから放出される空気の静圧を高めことができるファン（本出願人により開示されているファン）を使用することが考えられる。これは、空気が吸い込み口によってファンの中心部に案内されることにより、案内された空気がファンの翼に沿ってファンの中心部から外周部方向に流れるともにファンの遠心力が加わり、その結果、ファンから放出される空気の静圧が高められるというものである。また、このファンは、ファンから発生する騒音が小さいという特徴を有する（非特許文献１参照。）。
【非特許文献１】三菱電機株式会社、「常時換気用・同時給排気形換気扇Ｊ -ファン」、[online]、[平成１６年３月１０日検索]、インターネット＜URL : http://www.mitsubishielectric.co.jp/news-data/2003/pdf/0701-b.pdf＞
【発明の開示】
【発明が解決しようとする課題】
【０００６】
しかしながら、非特許文献１に開示されているファンを上記冷蔵庫のダクトのように流れ方向が略９０度変わる流路の分岐点に設けた場合、ファンから放出された空気がファンに誘引されることがある。これにより、ファンの回転が妨害され、ファンを回転させるモータに負荷がかかる。その結果、モータの消費電力が増加し、加えて、ファンからの騒音が大きくなることもある。
【０００７】
そこで、本発明は、ファンから放出された空気のファンへの誘引を阻止することによってモータへの負荷を低減できるファンと、このファンを用いることにより、従来より高静圧な、大きい冷却能力を有する冷蔵庫を提供することを課題とする。
【課題を解決するための手段】
【０００８】
上記課題を解決する本発明の冷蔵庫は、
空気を冷却する冷却器と、
上記冷却器からの冷気を貯蔵室に案内するダクトと、
上記ダクト中に設けられた、上記冷却器から上記貯蔵室に冷気を移動させる軸流ファンと、
上記ファンの回転軸に略直交する方向に展開する、上記回転軸と略一致する中心軸を有する、上記ファンの外径より小さい口径を有する、上記ファンに冷気を案内する吸い込み口と、
上記ファンの上記外周端の外側に、上記回転軸方向に上記ファンの風上側端から上記ファンの奥行き途中まで伸びている、上記回転軸と略同一の中心軸を有する略環状の壁とを有することを特徴とする。
【０００９】
ここで、上記で使用された「ファンの外周端」と、以下で使用されるファンに関する語句について説明する。ボス部と複数の翼を有するファンは複雑な形状であるため、まず、回転中のファンを収容可能な最小の容積を持つ空間を考える。この空間の外では、回転中のファンとは接触しないものとする。この空間は、ファンの回転軸と一致する回転軸を有し、加えて、回転軸と直交して対向する２つの平面を有する回転体形状とする。例えば、円柱形状、円錐台形形状などである。回転体の最大半径は、ファンの回転軸から放射方向に最も遠い、ファンを構成する翼の端までの距離である。したがって、回転体の最大直径が「ファンの外径」に該当する。ここで、本明細書において、この回転体の曲面で構成される面（側面）を「ファンの外周端」と称し、残りの回転体の面、対向する２つの平面を、「ファンの風上（風下）側端」と称することとする。また、ファンの風上側端から風下側端までの回転軸方向の距離を「ファンの奥行き」と称することとする。この回転体の対向する２つの平面（ファンの風上端や風下端）には、少なくともボス部または翼の一方が接触する。
【発明の効果】
【００１０】
本発明によれば、吸い込み口によってファンの中心部に案内され、続いて、ファンの翼に沿って放射方向にファンから放出された空気は、略環状の壁によってファンに誘引されることなく流れることが可能になる。これにより、ファンを回転させるモータ負荷が抑えられ、モータの消費電力も減少される。また、このファンを用いることにより、従来より高静圧な、大きい冷却能力を有する冷蔵庫を提供することができる。
【発明を実施するための最良の形態】
【００１１】
図１は、本発明の一実施形態に係る冷気強制循環方式の冷蔵庫１０の側面方向断面図を概略的に示している。冷蔵庫１０は、４つの貯蔵室１２、１４、１６、１８を有しており、それぞれの貯蔵室には、扉２０、２２、２４、２６が設けられている。これらの貯蔵室は、一般的に、冷蔵室、冷凍室、野菜室と呼ばれるものであり、当然ながら、冷蔵庫の仕様によって配置される場所や個数が異なる。本明細書において、これらの冷蔵室、冷凍室、野菜室は、一括して貯蔵室と呼称する。
【００１２】
冷蔵庫１０は、空気を冷却する冷却器２８を有し、冷却器２８からの冷気を４つの貯蔵室１２、１４、１６、１８に案内するダクト３０を有する。さらに、冷却器２８からの冷気をダクト３０を介して４つの貯蔵室に強制的に送り出すためのファン３２が、ダクト３０に設けられている。加えて、冷蔵庫１０は、図面では省略されているが、４つの貯蔵室内の空気を冷却器２８に戻すダクトを有しており、これらにより、空気が冷蔵庫１０内を循環する。
【００１３】
図２は、図１のファン３２の周辺を拡大した図である。ファン３２は、軸流ファン（プロペラファン）であり、略円柱状のボス部３４と複数枚の翼３６から構成される。ダクト３０は、ファン３２を基準として、冷却器２８からの冷気をファン３２に案内する冷却器側ダクト（以下、ファン３２の風上側に位置するため、「風上側ダクト」と称する。）３８と、ファン３２から４つの貯蔵室１２、１４、１６、１８に冷気を案内する貯蔵室側ダクト（以下、ファン３２の風下側に位置するため、「風下側ダクト」と称する。）４０とに分けられる。風上側ダクト３８と風下側ダクト４０は略円形状の開口４２で連絡されている。ファン３２は、開口４２と対向するように風下側ダクト４０側に、ファン３２の回転軸４４が略円形状の開口４２の中心軸と略一致するように配置されている。したがって、開口４２は、ファン３２に冷気を案内する吸い込み口として機能している（以下、「吸い込み口」と称する。）。また、ファン３２を回転させるモータ４６が、風上側ダクト３８側に配置されており、風上側ダクト３８の内壁面に付設されているモータブラケット（図示せず）によって支持されている。
【００１４】
吸い込み口４２の口径４８は、ファン３２の外径より小さくされている。これにより、冷却器２８からの冷気は、ファン３２中心部近傍に吸い込まれた後、翼３６に沿ってファン３２中心部から外周端に向かって流れる。したがって、ファン３２から放出される冷気は、翼３６に沿って流れるためにファン３２の遠心力が加わり、静圧が高められる。
【００１５】
吸い込み口４２は、図に示すように、ファン３２の中心部、特に、翼３６とボス部３４の接合部近傍に冷気を導く、風上側ダクト３８からファン３２に向かって内径が減少していくベルマウス５２形状を有するのが好ましい。これにより、冷却器２８からの冷気は、ベルマウス５２形状の吸い込み口４２に沿って乱れの少ない縮流となり、ファン３６に吸い込まれる。その結果、ファン３２から発生する騒音が小さくなる。
【００１６】
加えて、ファン３２の外周端の外側に、回転軸４４方向にファン３２の風上側端からファン３２の奥行き途中まで伸びている、回転軸４４と略同一の中心軸を有する略環状の壁（環状壁）５６が、風下側ダクト４０の壁面（ファン３２と対向する壁面５４と対向する壁面）５８に立設されている。環状壁５６は、ファン３２から放射方向５０に放出された冷気が、ファン３２に誘引されて、ファン３２の風上側外周端近傍に逆流するのを防止している。これにより、誘引によってファンの回転が妨害されることによるファン３２を回転させるモータ４６への負荷が低減される。また、環状壁５６は、例えば、ファン３２の奥行きの約３０％の位置（ファン３２の風上側端からの距離がファン３２の奥行き距離の３０％である位置）に、その先端（壁面５４に近い端）が配置されるように立設されている。これは、ファン３２の風下側外周端近傍から放出される、ファン３２からの放射方向５０の冷気の流れを妨害しないようにするためである。
【００１７】
以上の構成により、図２の点線の矢印で示すように、風上側ダクト３８を介する冷却器２８からの冷気は、ベルマウス５２形状を有する吸い込み口４２で乱流の少ない縮流に整えられてファン３２の翼３６とボス部３４との接合部近傍に引き込まれ、続いて、翼３６に沿って流れることにより、静圧が高められながらファン３６の回転軸４４方向の流れから放射方向５０の流れに変換されてファン３２から放出され、環状壁５６によってファン３２に逆流することなく、風下側ダクト４０を介して４つの貯蔵庫１２、１４、１６、１８に向かう。
【００１８】
上記のファン３２は、冷気を移動させるとともに、冷気の流れ方向を回転軸４４方向から放射方向５０に変換することができるため、冷気を、その流れ方向を９０度曲げて複数に分岐する位置に設けられている。この場合、遠心ファンの使用が考えられるが、一般的に軸流ファンより翼が多い遠心ファンは、翼が多いために翼からの風切音などの発生音（騒音）が大きくなり、また、冷蔵庫のように冷気を対象とする場合、翼が多いために狭くなった複数の翼の間に着霜することがあるため適さない。したがって、本発明では、軸流ファンを使用し、ファン周りのダクトの形状を上記の形態にすることによって遠心ファンと同じ流れを形成している。それにより、本発明では、図３の風量―静圧特性図で示すように、点線１００で示される遠心ファンの風量―静圧特性と、一点鎖線１０２で示される軸流ファンの風量―静圧特性とを平均したような、実線１０４で示される中間的な風量―静圧特性を有する。このような風量―静圧特性を有するファン（ファン周りのダクト形状も含む。）は、冷気を循環させ、また、循環流路が一定でない、すなわち、貯蔵室に収容される収容物によって循環流路が変化する、すなわち、高静圧と大風量の両方が要求される、二点鎖線１０６で示されるシステムインピーダンス（流路抵抗）を有する冷蔵庫に適する。
【００１９】
ファン３２は、軸流ファンでも良いが、以下に示すような、改良型軸流ファンでも良く、また好ましい。
【００２０】
図４は、改良型軸流ファン２００を回転中心線２０２と垂直な平面に投影した図である。図中の点線２０４は、投影された翼素の中点を結んで形成される線（翼素中心線）２０４である。翼素は、投影図上において翼の前縁２０６と後縁２０８とを結ぶ回転中心線２０２を中心とする円弧、例えば、円弧線２１０で表され、翼は無数の翼素が集まって形成される。翼素中心線２０４を見ると、翼素２１０で大きく折れ曲がっており、翼素２１０より中心側の翼素中心線２１２において、その外周側端２１４が中心側端２１６より回転方向２１８前方に位置している。このような翼素中心線２１２を有する翼２１８は、前進翼と呼ばれる。一方、図のように、外周側端２２０が中心側端２１４より回転方向２１８後方に位置している翼素中心線２２２を有する翼２２４は、後退翼と呼ばれる。従って、改良型軸流ファン２００の翼は、中心側に配置された前進翼２１８と、外周側に配置された後退翼２２４とから構成されている。
【００２１】
改良型軸流ファン２００を用いる場合、吸い込み口４２の口径４８（ベルマウス５２形状を有する場合は、ベルマウス５２形状のファン３２側端部の口径）が、ファン２００の回転中心線２０２から前進翼２１８の外周側端２１４までの距離の２倍（以下、回転中心線２０２から翼が折れ曲がる位置までの距離でもあるため、「折れ曲がり径」と称する。）と略一致するように、吸い込み口４２（ベルマウス５２形状を有する吸い込み口４２）を構成する。これにより、冷却器２８からの冷気は、改良型軸流ファン２００の前進翼２１８近傍に吸い込まれた後、回転中心線２０２方向に流れるとともに、放射方向２２６に前進翼２１８に沿って流れ、続いて後退翼２２４に沿って流れていく。冷気は後退翼２２４に沿って流れていくため、周速が高いファン２００の外周端近傍（後退翼２２４の外周側端近傍）で流れが剥離し難く、後退翼２２４の外周側端部後縁の不安定渦の発生も抑制される。その結果、軸流ファンよりも騒音が抑制されるとともに、放出される冷気の静圧も高まる。
【００２２】
ところで、ファン３２は、風下側ダクト４０のファン３２と対向している壁面５４に接近して配置されている。この風下側ダクト４０の壁面５４は、ファン３２の回転軸４４と略直交する方向に展開しており、ファン３２から放出された冷気を放射方向５０にガイドする案内板として機能する。壁面５４の他に、別途、壁面５４とファン３２の風下端との間に、壁面５４と略平行に案内板を設けることも可能である。従来、軸流ファンからの軸方向の流れを放射方向の流れに案内する場合、案内板は、軸流ファンから離れて配置される。これは、案内板がファンに近すぎると、ファンから放出された空気がファン３２に逆流してくるためである。ところが、本発明では、ファン３２の吸い込み口４２の開口径４８（ベルマウス５２形状を有する場合は、ベルマウス５２形状のファン３２側端部の口径）をファン３２の外径より小さくすることにより、翼３６に沿ってファン３２の中心部から外周端に向かう放射方向５０の流れが促進されるとともに、回転軸４４方向の流れが低減されるため、案内板（風下側ダクト４０の壁面５４）が接近していても、逆流が発生し難い。逆に、本発明では、案内板が接近している方が、ファン３２の放射方向５０に流れる冷気のガイドとなるため好ましい。
【００２３】
具体的に、発明者は、案内板（壁面５４）とファンの風下側端との距離を変えることにより、良好な風量―静圧特性が得られる有効な距離を求めている。その一つとして、発明者は、案内板（壁面５４）からファンの風下側端までの距離と風量との関係を求めた。この関係を求めるために、以下の実験を行った。
【００２４】
実験には、形状の異なる複数のファンと流路抵抗（圧力損失係数）の異なる複数の風路（ダクト）を用いた。各ファンにおいて、各ダクトそれぞれにおける案内板からファンの風下側端までの距離を段階的に変化させ、その都度、ファンから出力される流量を測定した。複数のファンは、上記の改良型軸流ファンであり、ファンの外径Ｄは、８５〜１５０ミリメートル（ｍｍ）の範囲である。また、ファンのボス部は円柱形状であり、その円柱径（ボス径）ｄは、２０〜３５ｍｍの範囲である。更に、折れ曲がり径Ｄ’は、５０〜１５０ｍｍの範囲であり、翼とボス部それぞれの風下側端は、略同一平面上に位置する、言い換えると、案内板からの距離が略等しい。
【００２５】
また、複数のファンの回転数Ｎは、５００〜２５００回転/分（ｒｐｍ）の範囲であり、また、吸い込み口４２の開口径４８は折れ曲がり径Ｄ’と同一にしてある。
【００２６】
次に、従来から行われているファンの性能（風量―静圧特性など）を求める方法と同様に無次元風量（流量係数φ）と無次元静圧（圧力係数ψ）を求めた。また、複数のダクトの流路抵抗を表すものとして、流量係数φ、圧力係数ψ、ダクト固有の損失係数Ｋ（圧力損失の式Ｐ＝ＫＱ２を満たす）から、無次元損失係数ξを求めた。流量係数φ、圧力係数ψ、無次元損失係数ξを求める式を数１に示す。ρは空気密度（ｋｇ/ｍ３）、ｇは重力加速度(ｍ/ｓ２）である。無次元損失係数ξが大きいダクトほど流路抵抗が大きくなる。発明者は、冷蔵庫で使用されることを考慮して、無次元損失係数ξが４〜１００になるように、ダクトを形成した（損失係数Ｋを設定した。）。
【数１】
2005291577.tif 000003
【００２７】
図５は、実験結果例の一つとして、２つのファンにおける、無次元損失係数ξと、ファンの外径Ｄと案内板からファンの風下側端までの距離δとの比δ/Ｄと、流量係数φとの関係を示す図である。図５（ａ）は、Ｄ＝１５０ｍｍ、Ｄ’＝１００ｍｍ、ｄ＝４０ｍｍ、Ｎ＝１５００ｒｐｍであるときの関係を示しており、図５（ｂ）は、Ｄ＝８５ｍｍ、Ｄ’＝６０ｍｍ、ｄ＝２３ｍｍ、Ｎ＝２０００ｒｐｍであるときの関係を示している。
【００２８】
図５（ａ）や図５（ｂ）に示すように、２つのファンとも、流量係数φは、案内板からファンの風下側端までの距離δが小さくなるに従い、特に、δ/Ｄが約０．３である地点から大きく増加していく。これらの結果も含む実験結果から、発明者は、少なくともδ/Ｄが約０．３以下、すなわち、案内板からファンの風下端までの距離δが少なくともファンの外径の約３０％以下であるときを、大量の風量を得る条件として見出した。より好ましくは、δ/Ｄが約０．１５以下、すなわち、案内板からファンの風下端までの距離δがファンの外径の約１５％以下であるときを、十分な風量を得る条件とし、更により好ましく確実に風量を得る条件としては、δ/Ｄが約０．０５以下、すなわち、案内板からファンの風下端までの距離δがファンの外径の約５％以下であることを見出した。
【００２９】
このように、案内板は、ファンから放出される冷気を案内するだけでなく、案内板からファンの風下側端までの距離を適切に設定することによって風量を増加する役割も果たす。また、改良型軸流ファン以外の軸流ファンでも、同様に、風量が増加する。
【００３０】
更に、本発明の冷蔵庫の冷却能力を高めるために改良されたファン周りの構造を、以下に説明する。これらは、改良型軸流ファンにも実施可能である。
【００３１】
図６は、環状壁５６の先端に、環状壁５６の先端から風下ダクト４０の壁面５４に向かって内径が拡大していくベルマウス３０２形状を有する、改良されたファン３２周りの構造を示す図である。環状壁５６の先端がベルマウス３０２形状を有することにより、ファン３２からの冷気の放射方向５０の流れが、ベルマウス３０２に沿って４つの貯蔵室１２、１４、１６、１８に向かって案内されるため、ファン３２から放出された冷気の圧力損失をより抑えることができる。
【００３２】
図７は、図６において、モータ４６を風下側ダクト４０に配置した、改良されたファン３２周りの構造を示す図である。風上側ダクト３８にモータ４６が配置されていた場合に比べ、モータ４６やモータブラケット（図示せず）がなくなるために風上側の流路抵抗が低くなるとともに、風下側の静圧がより高まる。
【００３３】
図８は、ファン３２のボス部を、風上側から風下側に向かって拡大する円錐台形状ボス部３０４にし、ファン３２と対向する風下側ダクト４０の壁面５４に、壁面５４からファン３２に向かって縮小する、ファン３２の回転軸４４と略一致する中心軸３０６を有する円錐台形部３０８を設けた、改良されたファン３２周りの構造を示す図である。これにより、円錐台形状ボス部３０４に沿って流れる冷気が、緩やかに回転軸４４方向の流れから放射方向５０に案内されるとともに、円錐台形状ボス部３０４の風下側端で流れが剥離し難くなる。また、ファン３２から放出された回転軸４４方向に流れる冷気が、円錐台形部３０８の表面に沿って放射方向５０に案内され、ファン３２から放出された冷気の圧力損失がより低減される。
【００３４】
図８の改良例として、図９に示すように、円錐台形部３０８にモータ４６を収容しても良い。それにより、モータブラケット（図示せず）が省略され、その結果、流路抵抗が減少してファン３２から放出された冷気の圧力損失がさらに抑えられる。
【００３５】
また、環状壁は、上記のように風下側ダクト４０の壁面５８に必ずしも略垂直に立設される必要はなく、例えば、図１０の断面図に示すように、風下側（風下側ダクト４０）に向かって、放射方向外側方向に傾斜した環状壁３１０でも良い。この場合、ファン３２から放出された冷気は、環状壁３１０に沿ってスムーズに放射方向５０に流れることができる。
【００３６】
さらに、ファンの外周端は、例えば、図１１に示す環状壁３１０に対応して、環状壁３１０の内側面（回転軸４４側の面）と略平行な円錐台形の曲面で示される形状の外周端を有するファン３１２でも良い。ファン３１２の外径が風上側端から風下側端に向かって増加するため、ファン３１２から冷気に加わる遠心力も増加し、その結果、風量と静圧が増加する。
【図面の簡単な説明】
【００３７】
【図１】本発明に係る冷蔵庫の側面断面図である。
【図２】図１のファン周辺の拡大図である。
【図３】本発明の冷蔵庫の風量―静圧特性図を示す図である
【図４】改良型軸流ファンの投影図である。
【図５】無次元損失係数ξと、ファンの外径Ｄと案内板からファンの風下側端までの距離δとの比δ/Ｄと、流量係数φとの関係を示す図である。
【図６】環状壁にベルマウスを備えたファン周辺の拡大図である。
【図７】図６のモータ位置を改良したファン周辺の拡大図である。
【図８】図６のファンのボス形状とファンに対向する風下側ダクト壁面を改良したファン周辺の拡大図である。
【図９】図８のモータ位置を改良したファン周辺の拡大図である。
【図１０】環状壁が改良されたファン周辺の拡大図である。
【図１１】図１０の環状壁に対応して改良されたファンとファン周辺の拡大図である。
【符号の説明】
【００３８】
１０  冷蔵庫、  １２  貯蔵室、  １４  貯蔵室、  １６  貯蔵室、  １８  貯蔵室、  ２０  扉、  ２２  扉、  ２４  扉、  ２６  扉、  ２８  冷却器、  ３０  ダクト、  ３２  ファン、  ３４  ボス部、  ３６  翼、  ３８  風上側ダクト、  ４０  風下側ダクト、  ４２  吸い込み口、  ４４  回転軸、  ４６  モータ、  ４８  口径、  ５０  放射方向、  ５２  ベルマウス、  ５４  壁面、  ５６  環状壁、  ５８  壁面、  ６０  環状壁高さ、  ６２  距離、
１００  遠心ファン風量―静圧特性線、  １０２  軸流ファン風量―静圧特性線、  １０４  本発明の風量―静圧特性線、  １０６  冷蔵庫システムインピーダンス、
２００  改良型軸流ファン、  ２０２  回転中心線、  ２０４  翼素中心線、  ２０６  前縁、  ２０８  後縁、  ２１０  翼素、  ２１２  翼素中心線、  ２１４  外周側端、  ２１６  中心側端、  ２１８  前進翼、  ２２０  外周側端、  ２２２  翼素中心線、  ２２４  後退翼、  ２２６  放射方向
３０２  ベルマウス、  ３０４  ボス部、  ３０６  中心軸、  ３０８  円錐台形部、
３１０  環状壁、  ３１２  ファン
【図１】
2005291577.tif 000004
【図２】
2005291577.tif 000005
【図３】
2005291577.tif 000006
【図４】
2005291577.tif 000007
【図５】
2005291577.tif 000008
【図６】
2005291577.tif 000009
【図７】
2005291577.tif 000010
【図８】
2005291577.tif 000011
【図９】
2005291577.tif 000012
【図１０】
2005291577.tif 000013
【図１１】
2005291577.tif 000014